(57)【要約】【課題】コストと消費電力を削減可能な光ディスク装置を提供する。【解決手段】各光ピックアップ１、２を支持して光ディスク３１、３２の径方向Ｒへ移動するように案内する全ての光ピックアップ１、２で共用のガイドシャフト４と、各光ピックアップ１、２を移動させるための駆動力を発する全ての光ピックアップ１、２で共用のトラバースモータ５と、該トラバースモータ５の駆動力を各光ピックアップ１、２に伝達して各光ピックアップ１、２を光ディスク３１、３２の径方向Ｒへ往復移動させるリードスクリュー６および梁７とから、トラバース機構３を構成する。そして、トラバースモータ５とリードスクリュー６に対して各梁７を移動させて、リードスクリュー６に各梁７を係合させたり該係合を外したりして、トラバースモータ５の駆動力の伝達先となる光ピックアップ１、２を切り替えるピックアップ切替手段２０を設ける。【選択図】図１
2009026357.tif 000002
【特許請求の範囲】
【請求項１】
光ディスクをディスクモータにより回転させ、複数の光ピックアップをトラバース機構により光ディスクの径方向へ移送し、複数種類の光ディスクに対して対応する光ピックアップにより情報の記録および／または再生を行う光ディスク装置において、
前記トラバース機構を、前記各光ピックアップを支持して光ディスクの径方向へ移動するように案内する前記全ての光ピックアップで共用の案内手段と、前記各光ピックアップを移動させるための駆動力を発する前記全ての光ピックアップで共用の単一のトラバースモータと、該トラバースモータの駆動力を前記各光ピックアップに伝達して各光ピックアップを光ディスクの径方向へ往復移動させる伝達手段とから構成し、
前記トラバースモータに対して前記伝達手段を移動させて、前記トラバースモータの駆動力の伝達先となる前記光ピックアップを切り替える切替手段を設けたことを特徴とする光ディスク装置。
【請求項２】
請求項１に記載の光ディスク装置において、
前記ディスクモータを前記光ピックアップの間に配置して該光ピックアップで共用することを特徴とする光ディスク装置。
【請求項３】
請求項１または請求項２に記載の光ディスク装置において、
前記伝達手段を、前記トラバースモータの駆動力により回転する単一のリードスクリューと、一方の端部を前記各光ピックアップに係合しかつ他方の端部を前記リードスクリューに係合して、リードスクリューの回転によりリードスクリューに沿って光ディスクの径方向へ往復移動する各光ピックアップで個別の梁とから構成し、
前記切替手段を、前記各梁を前記リードスクリューの軸方向と直交する面内で回転可能に支持する支持手段と、前記各梁を前記面内で回転させて、各梁の前記他方の端部を前記リードスクリューに係合しまたは該係合を外すアクチュエータとから構成したことを特徴とする光ディスク装置。
【請求項４】
請求項３に記載の光ディスク装置において、
前記切替手段が、情報の記録および／または再生を行う光ディスクの種類に応じて、前記アクチュエータの駆動を制御して、前記一方の梁を前記リードスクリューに係合し、前記他方の梁の前記リードスクリューとの係合を外す制御手段を更に有することを特徴とする光ディスク装置。
【請求項５】
請求項３または請求項４に記載の光ディスク装置において、
前記アクチュエータを、磁性体とコイル、圧電素子、モータ、またはソレノイドから構成したことを特徴とする光ディスク装置。
【発明の詳細な説明】
【技術分野】
【０００１】
本発明は、複数の光ピックアップをトラバース機構により光ディスクの径方向へ移送して、回転中の光ディスクに対して情報の記録や再生を行う光ディスク装置に関するものである。
【背景技術】
【０００２】
一般に光ディスク装置は、ディスクモータにより光ディスクを回転させて、トラバース機構により光ピックアップを光ディスクの径方向へ移送させながら、光ピックアップにより光ディスクに対して情報の記録や再生を行う。従来の光ディスク装置には、下記の特許文献１〜３に開示されているように、光ディスクの種類に対応させて２つの光ピックアップを設け、各光ディスクで共用する１つのディスクモータを設けたものがある。
【０００３】
特許文献１の光ディスク装置では、各光ピックアップを光ディスクの径方向へ移動可能に支持する二対のガイドレールと、１つのトラバースモータと、トラバースモータの駆動力を各光ピックアップに伝達する２つのギヤと１つのピニオンと２つのラックとからトラバース機構を構成している。そして、各ラックを各光ピックアップに取り付け、トラバースモータとギヤとピニオンを切替板に取り付け、切替板をモータまたはソレノイドで回動させて、ピニオンをいずれかのラックと噛み合わせ、光ピックアップを選択的に光ディスクの径方向へ移送させる。
【０００４】
特許文献２の光ディスク装置では、各光ピックアップを光ディスクの径方向へ移動可能に支持する一本のガイドロッドと、１つのトラバースモータと、トラバースモータの駆動力を各光ピックアップに伝達する１つのギヤと１つのピニオンと１つのラックとからトラバース機構を構成している。そして、ラックと各光ピックアップを連結し、２つの光ピックアップを同時に光ディスクの径方向へ移送させる。
【０００５】
特許文献３の光ディスク装置では、一対のガイドシャフトと１つのリニアモータとから一方の光ピックアップに対応するトラバース機構を構成し、別の一対のガイドシャフトと１つのモータと２つのギヤと１つのピニオンと１つのラックとから他方の光ピックアップに対応するトラバース機構を構成している。そして、各トラバース機構により光ピックアップを選択的に光ディスクの径方向へ移送させる。
【０００６】
【特許文献１】特開平８−２９７９０９号公報
【特許文献２】特開平１１−９６５８９号公報
【特許文献３】特開平９−２５９４４３号公報
【発明の開示】
【発明が解決しようとする課題】
【０００７】
特許文献１のような光ディスク装置では、２つの光ピックアップに対して個別にガイドレールとラックを設けていて、切替板とトラバースモータとギヤとピニオンを回動させるために駆動力の大きなモータ等を用いなければならないので、コストが高くなり、消費電力が大きくなってしまう。特許文献２のような光ディスク装置では、２つの光ピックアップを常に同時に移送させるために駆動力の大きなトラバースモータを用いなければならないので、コストが高くなり、消費電力が大きくなってしまう。特許文献３のような光ディスク装置では、２つ光ピックアップに対して個別にトラバース機構を設けているので、コストが高くなってしまう。
【０００８】
本発明は、上述した問題点を解決するものであって、その課題とするところは、コストと消費電力を削減可能な光ディスク装置を提供することにある。
【課題を解決するための手段】
【０００９】
本発明では、光ディスクをディスクモータにより回転させ、複数の光ピックアップをトラバース機構により光ディスクの径方向へ移送し、複数種類の光ディスクに対して対応する光ピックアップにより情報の記録および／または再生を行う光ディスク装置において、トラバース機構を、各光ピックアップを支持して光ディスクの径方向へ移動するように案内する全ての光ピックアップで共用の案内手段と、各光ピックアップを移動させるための駆動力を発する全ての光ピックアップで共用の単一のトラバースモータと、該トラバースモータの駆動力を各光ピックアップに伝達して各光ピックアップを光ディスクの径方向へ往復移動させる伝達手段とから構成する。そして、トラバースモータに対して伝達手段を移動させて、トラバースモータの駆動力の伝達先となる光ピックアップを切り替える切替手段を設ける。
【００１０】
このようにすると、全ての光ピックアップで案内手段と単一のトラバースモータとを共用するので、トラバース機構にかかるコストを削減することが可能となる。また、トラバースモータを移動させず、伝達手段だけを移動させて、トラバースモータの駆動力の伝達先となる光ピックアップを切り替えるので、駆動力の小さな切替手段を用いて、複数の光ピックアップを光ディスクの径方向へ選択的に移送させることができる。つまり、一方の光ピックアップを移送させるときに、他方の光ピックアップを移送させないようにすることができる。このため、切替手段とトラバースモータにかかるコストと、切替手段とトラバースモータでの消費電力とを削減することが可能となる。
【００１１】
また、本発明では、上記光ディスク装置において、ディスクモータを光ピックアップの間に配置して該光ピックアップで共用する。
【００１２】
このようにすると、ディスクモータの個数を減らして、ディスクモータにかかるコストと、ディスクモータでの消費電力とを削減することが可能となる。
【００１３】
また、本発明では、上記光ディスク装置において、伝達手段を、トラバースモータの駆動力により回転する単一のリードスクリューと、一方の端部を各光ピックアップに係合しかつ他方の端部をリードスクリューに係合して、リードスクリューの回転によりリードスクリューに沿って光ディスクの径方向へ往復移動する各光ピックアップで個別の梁とから構成する。そして、切替手段を、各梁をリードスクリューの軸方向と直交する面内で回転可能に支持する支持手段と、各梁を前記面内で回転させて、各梁の他方の端部をリードスクリューに係合しまたは該係合を外すアクチュエータとから構成する。
【００１４】
このようにすると、アクチュエータにより各梁を回転させることで、トラバースモータの駆動力の伝達先となる光ピックアップが切り替わるので、各梁を軽量化して、駆動力の小さなアクチュエータを用いて、複数の光ピックアップを光ディスクの径方向へ選択的かつ容易に移送させることができる。このため、梁とアクチュエータにかかるコストと、アクチュエータでの消費電力とをより削減することが可能となる。
【００１５】
また、本発明では、上記光ディスク装置において、切替手段が、情報の記録および／または再生を行う光ディスクの種類に応じて、アクチュエータの駆動を制御して、一方の梁をリードスクリューに係合し、他方の梁のリードスクリューとの係合を外す制御手段を更に有する。
【００１６】
このようにすると、複数の光ピックアップを自動で必要に応じて（即ち、情報の記録および／または再生を行う光ディスクの種類に応じて）、光ディスクの径方向へ選択的に移送させることができる。
【００１７】
さらに、本発明では、上記光ディスク装置において、アクチュエータを、磁性体とコイル、圧電素子、モータ、またはソレノイドから構成する。
【００１８】
このようにすると、アクチュエータの駆動力により各梁を回転させて、各梁の他方の端部をリードスクリューに係合しまたは該係合を外し、トラバースモータの駆動力の伝達先となる光ピックアップを容易かつ確実に切り替えることができる。また、一般に磁性体とコイルまたは圧電素子は、モータまたはソレノイドよりコストが低く消費電力が小さいので、アクチュエータをモータまたはソレノイドから構成するより、磁性体とコイルまたは圧電素子から構成する方が、アクチュエータにかかるコストと、アクチュエータによる消費電力とを削減することが可能となる。
【発明の効果】
【００１９】
本発明によれば、光ディスク装置において、全ての光ピックアップでトラバース機構を構成する案内手段と単一のトラバースモータとを共用し、切替手段で伝達手段だけを移動させてトラバースモータの駆動力の伝達先を切り替えるので、駆動力の小さな切替手段を用いて、複数の光ピックアップを光ディスクの径方向へ選択的に移送でき、コストと消費電力を削減することが可能となる。
【発明を実施するための最良の形態】
【００２０】
図１は、本発明の実施形態に係る光ディスク装置１０の要部の構成を示す図である。光ディスク装置１０は、記録密度が高い光ディスク３１と、該光ディスク３１より記録密度が低い光ディスク３２とを取り扱う。光ディスク３１は、ＢＤ（Blu-ray Disc；登録商標）またはＨＤ ＤＶＤ（High-Definition  Digital Versatile Disc）から成る。光ディスク３２は、ＤＶＤ（Digital Versatile Disc）またはＣＤ（Compact Disc）から成る。
【００２１】
光ディスク３１、３２はトレイ１９上に載置される。トレイ１９は、図示しない搬送機構により矢印で示すように移動して、載置された光ディスク３１、３２をディスクモータ８、９上（二点鎖線で示す位置）と、光ディスク装置１０の図示しない本体から突出する出し入れ位置（上方に破線で示す位置）とへ搬送する。トレイ１９は１つしか設けられていないので、光ディスク装置１０で一度に取り扱えるのは光ディスク３１、３２のいずれか１枚だけである。なお、図１では図示の便宜上、出し入れ位置にあるトレイ１９および光ディスク３１、３２を他の各部より縮小して示している。
【００２２】
２つのディスクモータ８、９はそれぞれ、光ディスク３１、３２に対応させて光ディスク３１、３２の径方向Ｒへ並ぶように設けられている。ディスクモータ８は、モータ調整機構１５を介してシャーシ１８上に取り付けられている。ディスクモータ９は、モータ調整機構１６を介してシャーシ１８上に取り付けられている。モータ調整機構１５は、ディスクモータ８のチルトと高さを調整し、かつディスクモータ８の中心位置を光ディスク３１と平行な面内で調整するものである。モータ調整機構１６は、ディスクモータ９の中心位置を光ディスク３２と平行な面内で調整するものである。
【００２３】
ディスクモータ８、９の回転軸８ａ、９ａの上端には、図示しないターンテーブルが連結されている。各ターンテーブルの上方には、図示しないクランパがフレームに取り付けられて設けられている。トレイ１９によりディスクモータ８、９上に搬送された光ディスク３１、３２は、ターンテーブルとクランパにより挟まれてトレイ１９から持ち上げられ、ディスクモータ８、９の駆動により回転する。
【００２４】
ディスクモータ８、９間には、２つの光ピックアップ１、２が光ディスク３１、３２の種類に対応させて設けられている。光ピックアップ１、２は、光ディスク３１、３２の径方向Ｒへ並んでいる。光ピックアップ１は、ＢＤまたはＨＤ  ＤＶＤに対して記録および／または再生を行えるものである。光ピックアップ２は、ＤＶＤまたはＣＤに対して記録および／または再生を行えるものである。各光ピックアップ１、２の中央には、光ディスク３１、３２と対向するように対物レンズ１Ｌ、２Ｌが設けられている。
【００２５】
各光ピックアップ１、２は、共用のトラバース機構３により光ディスク３１、３２の径方向Ｒへ移送される。トラバース機構３は、一対のガイドシャフト４と単一のトラバースモータ５と単一のリードスクリュー６と２本の梁７とから構成されている。梁７は、各光ピックアップ１、２に対して個別に設けられている。
【００２６】
一対のガイドシャフト４は、間にディスクモータ８、９を介在させるように所定の間隔をおいて、光ディスク３１、３２の径方向Ｒと平行に設けられている。一方のガイドシャフト４は、シャフト調整機構１１、１３を介してシャーシ１８上に取り付けられている。他方のガイドシャフト４は、シャフト調整機構１２、１４を介してシャーシ１８上に取り付けられている。シャフト調整機構１１〜１４は、各ガイドシャフト４のチルトと高さを調整するものである。一対のガイドシャフト４は、各光ピックアップ１、２を支持して光ディスク３１、３２の径方向Ｒへ移動するように案内する。各光ピックアップ１、２の対物レンズ１Ｌ、２Ｌの光軸中心は、光ディスク３１、３２の径方向Ｒへ並んでいる。一対のガイドシャフト４は、本発明における案内手段の一実施形態を構成する。
【００２７】
トラバースモータ５は、シャーシ１８上に固定されている。トラバースモータ５は、各光ピックアップ１、２を移動させるための駆動力を発する。リードスクリュー６の一方の端部は、トラバースモータ５の回転軸に連結されている。リードスクリュー６は、トラバースモータ５と支持台１７を介してシャーシ１８上に一対のガイドシャフト４と平行に取り付けられている。リードスクリュー６は、トラバースモータ５の駆動力により軸回りに正方向または逆方向へ回転する。ガイドシャフト４とトラバースモータ５とリードスクリュー６は、全ての光ピックアップ１で共用される。
【００２８】
各梁７は、各光ピックアップ１、２とリードスクリュー６に係合されて、光ディスク３１、３２の接線方向Ｔと平行になる。この係合状態で、各梁７は、リードスクリュー６の回転によりリードスクリュー６に沿って光ディスク３１、３２の径方向Ｒへ往復移動する。そして、各光ピックアップ１、２が各梁７に引っ張られて、ガイドシャフト４に沿って光ディスク３１、３２の径方向Ｒへ往復移動する。つまり、リードスクリュー６と梁７は、トラバースモータ５の駆動力を各光ピックアップ１、２に伝達して、各光ピックアップ１、２を光ディスク３１、３２の径方向Ｒへ往復移動させる。リードスクリュー６と梁７は、本発明における伝達手段の一実施形態を構成する。
【００２９】
梁７の下方には、ピックアップ切替手段２０が設けられている。図２は、ピックアップ切替手段２０の構成を示す図である。図３は、図２（ａ）のＡ−Ａ断面図である。図４は、図２（ａ）のＢ−Ｂ断面図である。ピックアップ切替手段２０は、ベース２１と磁性体２２とコイル２３と制御部２４とから構成されている。磁性体２２とコイル２３は、各梁７および各光ピックアップ１、２に対して個別に（即ち、２つずつ）設けられている。ベース２１と制御部２４は、各梁７等で共用に（即ち、１つずつ）設けられている。なお、ベース２１については各梁７等に対して個別に設けるようにしてもよい。
【００３０】
各光ピックアップ１、２のリードスクリュー６側の端部には、図４に示すように凹部１ａ、２ａが逆さまに設けられている。各梁７の一方（図２で光ピックアップ１、２側）の端部７ａは、凹部１ａ、２ａに嵌め込まれて係合されている。リードスクリュー６の周面には、図２に示すようにウォーム（螺旋溝）６ｗが設けられている。各梁７の他方（リードスクリュー６側）の端部７ｂには、ギヤ７ｇが設けられている。各ギヤ７ｇは、ウォーム６ｗと噛み合って係合するように形成されている。各梁７のリードスクリュー６の軸方向に対して垂直な両側面の中央には、図２および図３に示すように軸７ｄが設けられている。各軸７ｄは、リードスクリュー６の軸方向と平行に突出している。
【００３１】
ベース２１は、シャーシ１８上に固定されている。ベース２１には、垂直部２１ａが各梁７に対して個別に設けられている。各垂直部２１ａは、光ディスク装置１０の高さ方向Ｈと平行に突出している。各垂直部２１ａの上端には、図３に示すように凹部２１ｃが設けられている。各凹部２１ｃのリードスクリュー６の軸方向に対して垂直な両側壁には、孔２１ｄが設けられている。ベース２１の各凹部２１ｃに各梁７の中央を挿入して、各孔２１ｄに各軸７ｄを嵌め合わせることにより、各梁７はベース２１の各垂直部２１ａに軸７ｄを中心に回転可能に取り付けられている。つまり、ベース２１は、各梁７をリードスクリュー６の軸方向と直交する面内で回転可能に支持している。ベース２１は、本発明における支持手段の一実施形態を構成する。
【００３２】
各梁７の端部７ａと軸７ｄの間の下面には、図２に示すように磁性体２２が取り付けられている。各磁性体２２は下方へ突出している。ベース２１の水平部２１ｂ上には、コイル２３が取り付けられている。各コイル２３は、各磁性体２２の先端部の周囲を囲っている。
【００３３】
制御部２４は、光ディスク装置１０の各部を制御するＣＰＵ等から成る。制御部２４には、アクチュエータ駆動部２４ａとディスク判別部２４ｂが設けられている。アクチュエータ駆動部２４ａは、各コイル２３に電流を流して、各コイル２３を駆動し、各コイル２３が各磁性体２２を吸引する磁力を変化させる。例えばコイル２３に電流を流さず、コイル２３の駆動を停止しているときは、磁性体２２がコイル２３に吸引されず、図２（ａ）に示す位置にある。このとき、梁７が光ディスク３１、３２の接線方向Ｔと平行な姿勢で静止し、他方の端部７ｂのギヤ７ｇがリードスクリュー６のウォーム６ｗに係合している。コイル２３に所定の大きさの電流を流して、コイル２３を駆動すると、磁性体２２がコイル２３に吸引されて、図２（ｂ）に示すように下方へ移動する。これにより、梁７が軸７ｄを中心に回転して、他方の端部７ｂのギヤ７ｇとリードスクリュー６のウォーム６ｗとの係合が外れる。磁性体２２とコイル２３は、本発明におけるアクチュエータの一実施形態を構成する。
【００３４】
ディスク判別部２４ｂは、トレイ１９によりディスクモータ８、９上に搬送された、情報の記録および／または再生を行う光ディスク３１、３２の種類を判別する。具体的には、例えばディスクモータ８、９の付近にそれぞれ設けたディスク検知センサからの入力信号、またはユーザが光ディスク装置１０の操作キーにより入力した入力情報等に基づいて、ディスク判別部２４ｂは光ディスク３１、３２の種類を判別する。また、例えば光ピックアップ１、２から発射したレーザビームの光ディスク３１、３２での反射光を光ピックアップ１、２で検出することにより、光ピックアップ１、２上の光ディスク３１、３２の有無を検知し、該検知結果に基づいて、ディスク判別部２４ｂが光ディスク３１、３２の種類を判別するようにしてもよい。
【００３５】
制御部２４は、ディスク判別部２４ｂにより判別した光ディスク３１、３２の種類に応じて、アクチュエータ駆動部２４ａによりコイル２３および磁性体２２の駆動を制御して、一方の梁７のギヤ７ｇをリードスクリュー６のウォーム６ｗに係合し、他方の梁７のギヤ７ｇとリードスクリュー６のウォーム６ｗとの係合を外す。具体的には、光ディスク３１に対して情報の再生等を行う場合は、制御部２４は、光ピックアップ１側にあるコイル２３と磁性体２２により、光ピックアップ１に係合している梁７をリードスクリュー６と係合させ、光ピックアップ２側にあるコイル２３と磁性体２２により、光ピックアップ２に係合している梁７とリードスクリュー６との係合を外す。また、光ディスク３２に対して情報の再生等を行う場合は、光ピックアップ２側にあるコイル２３と磁性体２２により、光ピックアップ２に係合している梁７をリードスクリュー６と係合させ、光ピックアップ１側にあるコイル２３と磁性体２２により、光ピックアップ１に係合している梁７とリードスクリュー６との係合を外す。制御部２４は、本発明における制御手段の一実施形態を構成する。
【００３６】
上記のように各梁７とリードスクリュー６との係合状態を切り替えることで、トラバースモータ５の駆動力の各光ピックアップ１、２への伝達経路のうち、一方が接続状態となり、他方が切断状態になる。つまり、上述したピックアップ切替手段２０は、トラバースモータ５およびリードスクリュー６に対して各梁７を回転移動させて、トラバースモータ５の駆動力の伝達先となる光ピックアップ１、２を切り替える。ピックアップ切替手段２０は、本発明における切替手段の一実施形態を構成する。
【００３７】
以上によると、全ての光ピックアップ１、２でトラバース機構３の一対のガイドシャフト４と単一のトラバースモータ５とを共用するので、トラバース機構３にかかるコストを削減することが可能となる。また、トラバースモータ５やリードスクリュー６を移動させず、梁７だけを移動させて、トラバースモータ５の駆動力の伝達先となる光ピックアップ１、２を切り替えるので、駆動力の小さな磁性体２２とコイル２３から成るアクチュエータを用いて、複数の光ピックアップ１、２を光ディスク３１、３２の径方向Ｒへ選択的に移送させることができる。つまり、複数の光ピックアップ１、２のうち、一方を移送させるときに、他方を移送させないようにすることができる。このため、アクチュエータ２２、２３とトラバースモータ５にかかるコストと、アクチュエータ２２、２３とトラバースモータ５での消費電力とを削減することが可能となる。
【００３８】
また、磁性体２２とコイル２３により各梁７を回転させることで、トラバースモータ５の駆動力を伝達する先の光ピックアップ１、２が切り替わるので、各梁７を軽量化して、駆動力の小さな磁性体２２とコイル２３を用いて、複数の光ピックアップ１、２を光ディスク３１、３２の径方向Ｒへ選択的かつ容易に移送させることができる。このため、梁７と磁性体２２とコイル２３にかかるコストと、コイル２３での消費電力とをより削減することが可能となる。
【００３９】
また、制御部２４により、情報の記録および／または再生を行う光ディスク３１、３２の種類に応じて、コイル２３の駆動を制御して、一方の梁７をリードスクリュー６に係合し、他方の梁７のリードスクリュー６との係合を外すので、複数の光ピックアップ１、２を自動で必要に応じて（即ち、情報の記録および／または再生を行う光ディスク３１、３２の種類に応じて）、光ディスク３１、３２の径方向Ｒへ選択的に移送させることができる。
【００４０】
また、コイル２３の駆動力により、磁性体２２を移動させて、各梁７を回転させて、各梁７のギヤ７ｇをリードスクリュー６のウォーム６ｗに係合しまたは該係合を外し、トラバースモータ５の駆動力の伝達先となる光ピックアップ１、２を容易かつ確実に切り替えることができる。さらに、磁性体２２、梁７、ベース２１、およびコイル２３を連結してユニット化しているので、これらを他の既存部品に対して容易に組み付けることができる。
【００４１】
本発明は、以上の実施形態以外にも種々の形態を採用することができる。例えば、以上の実施形態では、取り扱う光ディスク３１、３２に対応させて２つのディスクモータ８、９を設けた例を挙げたが、本発明はこれのみに限定するものではない。これ以外に、例えば図５に示すように単一のディスクモータ８を光ピックアップ１、２の間の下方に配置して、該光ピックアップ１、２で共用するようにしてもよい。図５では、便宜上、図１と同一または対応する部分には同一符号を付している。図５の場合、例えばユーザからの入力情報または光ピックアップ１、２からの光ディスク３１、３２の検知情報等に基づいて、トレイ１９によりディスクモータ８上に搬送された情報の再生等を行う光ディスク３１、３２の種類を判別し、該種類に応じて、各梁７を回転させて、トラバースモータ５の駆動力の伝達先となる光ピックアップ１、２を切り替えればよい。このように、２つの光ピックアップ１、２でディスクモータ８を共用することで、ディスクモータの個数を減らして、ディスクモータにかかるコストと、ディスクモータでの消費電力とを削減することが可能となる。
【００４２】
また、以上の実施形態では、磁性体２２とコイル２３から構成されるアクチュエータを用いた例を挙げたが、本発明はこれのみに限定するものではない。これ以外に、例えば図６〜図８に示すような単品の電子部品２５〜２７から成るアクチュエータを用いてもよい。図６〜図８では、便宜上、図２と同一または対応する部分には同一符号を付している。
【００４３】
図６では、圧電素子２５から構成されるアクチュエータを用いている。圧電素子２５は、各梁７および各光ピックアップ１、２に対して個別に設けられ、ベース２１上に固定されている。各梁７のギヤ７ｇと軸７ｄの間の下面には、突起７ｃが設けられている。圧電素子２５と突起７ｃは接触している。アクチュエータ駆動部２４ａは、各圧電素子２５に電圧を印加して、各圧電素子２５を上下に伸縮させる。例えば圧電素子２５に電圧を印加していないときは、図６（ａ）に示すように圧電素子２５は収縮状態にあって、突起７ｃを押圧していない。このとき、梁７が光ディスク３１、３２の接線方向Ｔと平行な姿勢で静止し、他方の端部７ｂのギヤ７ｇがリードスクリュー６のウォーム６ｗに係合している。圧電素子２５に所定の大きさの電圧を印加すると、図６（ｂ）に示すように圧電素子２５が伸張して、突起７ｃを押し上げる。これにより、梁７が軸７ｄを中心に回転して、ギヤ７ｇとリードスクリュー６のウォーム６ｗとの係合が外れる。
【００４４】
図７では、モータ２６から構成されるアクチュエータを用いている。モータ２６は、ＤＣモータまたはステッピングモータから成り、各梁７および各光ピックアップ１、２に対して個別に設けられ、ベース２１に固定されている。各モータ２６の回転軸２６ｄは、各梁７の軸７ｄに連結されている。アクチュエータ駆動部２４ａは、各モータ２６に電流を流して、各モータ２６を駆動させる。例えばモータ２６に電流を流していないときは、モータ２６は駆動停止状態にあって、回転軸２６ｄおよび軸７ｄを回転させていない。このとき、図７（ａ）に示すように梁７が光ディスク３１、３２の接線方向Ｔと平行な姿勢で静止し、他方の端部７ｂのギヤ７ｇがリードスクリュー６のウォーム６ｗに係合している。モータ２６に所定の大きさの電流を流すと、モータ２６が駆動して、回転軸２６ｄおよび軸７ｄを所定角度回転させる。これにより、図７（ｂ）に示すように梁７が所定角度回転して、ギヤ７ｇとリードスクリュー６のウォーム６ｗとの係合が外れる。
【００４５】
図８では、ソレノイド２７から構成されるアクチュエータを用いている。ソレノイド２７は、プッシュプルソレノイド等から成り、各梁７および各光ピックアップ１、２に対して個別に設けられ、ベース２１上に固定されている。各ソレノイド２７の可動軸２７ａの先端は、梁７のギヤ７ｇと軸７ｄの間の下面に接触している。アクチュエータ駆動部２４ａは、各ソレノイド２７に電圧を印加して、各ソレノイド２７を駆動させて、可動軸２７ａを上下に移動させる。例えばソレノイド２７に電圧を印加していないときは、図８（ａ）に示すように可動軸２７ａは退避状態にあって、梁７を押圧していない。このとき、梁７が光ディスク３１、３２の接線方向Ｔと平行な姿勢で静止し、他方の端部７ｂのギヤ７ｇがリードスクリュー６のウォーム６ｗに係合している。ソレノイド２７に所定の大きさの電圧を印加すると、図８（ｂ）に示すように可動軸２７ａが突出して、梁７を押し上げる。これにより、梁７が軸７ｄを中心に回転して、ギヤ７ｇとリードスクリュー６のウォーム６ｗとの係合が外れる。
【００４６】
また、以上の実施形態では、各梁７および各光ピックアップ１、２に対して個別にアクチュエータ２２〜２７を設けた例を挙げたが、本発明はこれのみに限定するものではない。これ以外に、例えば図９〜図１１に示すように複数の梁７および光ピックアップ１、２で共用するようにアクチュエータ２６、２５、２２、２３を設けてもよい。図９〜図１１は、図１２（ａ）のＡ−Ａ断面図である。図９〜図１２では、便宜上、図２、図３、および図６〜図８等と同一または対応する部分には同一符号を付している。また図１２では、便宜上、アクチュエータ２６、２５、２２、２３と制御部２４と図１０に示す突起２８ｃの図示を省略している。
【００４７】
図９では、単一のモータ２６から構成されるアクチュエータを用いている。モータ２６は、２本の梁７および２つの光ピックアップ１、２の間に設けられ、ベース２１上に固定されている。モータ２６の回転軸２６ｄは、カム２８の中心軸２８ｄに連結されている。カム２８は、図１２に示すように各梁７のギヤ７ｇと軸７ｄの間に配置され、各梁７の下面に接触している。例えばアクチュエータ駆動部２４ａによりモータ２６に電流を流していないときは、モータ２６は駆動停止状態にあって、回転軸２６ｄと中心軸２８ｄを回転させず、図９に示すようにカム２８が左右対称な姿勢で静止している。このとき、図１２（ａ）に示すように各梁７が光ディスク３１、３２の接線方向Ｔと平行な姿勢で静止し、各梁７のギヤ７ｇがリードスクリュー６のウォーム６ｗに係合している。アクチュエータ駆動部２４ａによりモータ２６に所定の大きさの電流を流すと、モータ２６が正転駆動または逆転駆動して、回転軸２６ｄと中心軸２８ｄとカム２８を正方向または逆方向へ所定角度回転させる。これにより、カム２８が一方の梁７を押し上げ、図１２（ｂ）に示すように一方の梁７が所定角度回転して、該梁７のギヤ７ｇとリードスクリュー６のウォーム６ｗとの係合が外れる。また、カム２８が他方の梁７から離間し、図１２（ａ）に示すように他方の梁７が光ディスク３１、３２の接線方向Ｔと平行な姿勢で静止して、該梁７のギヤ７ｇがリードスクリュー６のウォーム６ｗに係合した状態が維持される。上記モータ２６に代えて、単一のロータリソレノイドをアクチュエータとして用いてもよい。
【００４８】
図１０では、単一の圧電素子２５から構成されるアクチュエータを用いている。カム２８の中心軸２８ｄは、ベース２１の垂直部２１ａ間に架けられた梁２１ｅに回転可能に支持されている。カム２８の中心軸２８ｄから一方の梁７側へずれた位置には、突起２８ｃが設けられている。圧電素子２５は、ベース２１上に固定されて、突起２８ｃと連結されている。例えばアクチュエータ駆動部２４ａにより圧電素子２５に所定の大きさの電圧を印加して、圧電素子２５を図１０に示す中立状態にしているときは、カム２８が左右対称な姿勢で静止している。このとき、図１２（ａ）に示すように各梁７が光ディスク３１、３２の接線方向Ｔと平行な姿勢で静止し、各梁７のギヤ７ｇがリードスクリュー６のウォーム６ｗに係合している。アクチュエータ駆動部２４ａにより圧電素子２５に所定の大きさの電圧を印加して、圧電素子２５を収縮させまたは伸張させると、圧電素子２５が突起２８ｃを引き下げまたは押し上げて、カム２８を軸２８ｄを中心に正方向または逆方向へ所定角度回転させる。これにより、カム２８が一方の梁７を押し上げ、図１２（ｂ）に示すように一方の梁７が所定角度回転して、該梁７のギヤ７ｇとリードスクリュー６のウォーム６ｗとの係合が外れる。また、カム２８が他方の梁７から離間し、図１２（ａ）に示すように他方の梁７が光ディスク３１、３２の接線方向Ｔと平行な姿勢で静止して、該梁７のギヤ７ｇがリードスクリュー６のウォーム６ｗに係合した状態が維持される。上記圧電素子２５に代えて、単一のソレノイド２７をアクチュエータとして用いてもよい。
【００４９】
図１１では、単一の磁性体２２と単一のコイル２３から構成されるアクチュエータを用いている。磁性体２２は、カム２８の中心軸２８ｄから一方の梁７側へずれた位置に取り付けられている。コイル２３は、ベース２１上に固定されて、磁性体２２の先端部の周囲を囲っている。例えばアクチュエータ駆動部２４ａによりコイル２３に所定の大きさの電流を流して、コイル２３により磁性体２２を図１１に示す中立位置まで吸引して静止させているときは、カム２８が左右対称な姿勢で静止している。このとき、図１２（ａ）に示すように各梁７が光ディスク３１、３２の接線方向Ｔと平行な姿勢で静止し、各梁７のギヤ７ｇがリードスクリュー６のウォーム６ｗに係合している。アクチュエータ駆動部２４ａによりコイル２３に所定の大きさの電流を流して、コイル２３により磁性体２２を上下に移動させると、カム２８が軸２８ｄを中心に正方向または逆方向へ所定角度回転する。これにより、カム２８が一方の梁７を押し上げ、図１２（ｂ）に示すように一方の梁７が所定角度回転して、該梁７のギヤ７ｇとリードスクリュー６のウォーム６ｗとの係合が外れる。また、カム２８が他方の梁７から離間し、図１２（ａ）に示すように他方の梁７が光ディスク３１、３２の接線方向Ｔと平行な姿勢で静止して、該梁７のギヤ７ｇがリードスクリュー６のウォーム６ｗに係合した状態が維持される。
【００５０】
上述した図６〜図１１の実施形態において、制御部２４は、ディスク判別部２４ｂにより判別した情報の記録および／または再生を行う光ディスク３１、３２の種類に応じて、アクチュエータ駆動部２４ａによりアクチュエータ２２〜２７の駆動を制御して、一方の梁７のギヤ７ｇをリードスクリュー６のウォーム６ｗに係合し、他方の梁７のギヤ７ｇとリードスクリュー６のウォーム６ｗとの係合を外す。
【００５１】
以上によると、アクチュエータ２２〜２７等の駆動力により各梁７を回転させて、各梁７の端部７ｂのギヤ７ｇをリードスクリュー６に係合しまたは該係合を外し、トラバースモータ５の駆動力の伝達先となる光ピックアップ１、２を容易かつ確実に切り替えることができる。また、図９〜図１１に示したようにアクチュエータ２６、２５、２２、２３を光ピックアップ１、２等で共用することで、アクチュエータの個数を減らして、アクチュエータにかかるコストと、アクチュエータによる消費電力とをより削減することが可能となる。さらに、一般に磁性体２２とコイル２３または圧電素子２５はモータ２６またはソレノイド２７等よりコストが低く消費電力が小さいので、図７〜図９に示したようにモータ２６またはソレノイド２７等からアクチュエータを構成するより、図２、図６、図１０、および図１１に示したように磁性体２２とコイル２３または圧電素子２５からアクチュエータを構成する方が、アクチュエータにかかるコストと、アクチュエータによる消費電力とを削減することが可能となる。但し、本発明におけるアクチュエータとしては、電力により駆動を制御でき、各梁７を回転させて、各梁７をリードスクリュー６に係合しまたは該係合を外せる電子部品等であればよい。
【００５２】
さらに、以上の実施形態では、２つの光ピックアップ１、２と、２つまたは１つのディスクモータ８、９とを備え、光ディスク３１、３２を同時に１枚しか取り扱えない光ディスク装置１０に本発明を適用した例を挙げたが、本発明は、光ピックアップやディスクモータを３つ以上備えた光ディスク装置や、光ディスクを同時に２枚以上取り扱える光ディスク装置にも適用することが可能である。また本発明は、ＢＤ、ＨＤ
ＤＶＤ、ＤＶＤ、ＣＤ、またはこれら以外の光ディスクのうち、少なくとも２種類以上の光ディスクに対して情報の再生や記録が可能な光ディスク装置にも適用することが可能である。
【図面の簡単な説明】
【００５３】
【図１】本発明の実施形態に係る光ディスク装置の要部構成図である。
【図２】同光ディスク装置に備わるピックアップ切替手段の構成図である。
【図３】図２（ａ）のＡ−Ａ断面図である。
【図４】図２（ａ）のＢ−Ｂ断面図である。
【図５】他の実施形態に係る光ディスク装置の要部構成図である。
【図６】他の実施形態に係るピックアップ切替手段の構成図である。
【図７】他の実施形態に係るピックアップ切替手段の構成図である。
【図８】他の実施形態に係るピックアップ切替手段の構成図である。
【図９】他の実施形態に係るピックアップ切替手段の構成図である。
【図１０】他の実施形態に係るピックアップ切替手段の構成図である。
【図１１】他の実施形態に係るピックアップ切替手段の構成図である。
【図１２】他の実施形態に係るピックアップ切替手段の構成図である。
【符号の説明】
【００５４】
１、２  光ピックアップ
３  トラバース機構
４  ガイドシャフト
５  トラバースモータ
６  リードスクリュー
７  梁
７ａ  梁の一方の端部
７ｂ  梁の他方の端部
８、９  ディスクモータ
１０  光ディスク装置
２０  ピックアップ切替手段
２１  ベース
２２  磁性体
２３  コイル
２４  制御部
２５  圧電素子
２６  モータ
２７  ソレノイド
３１、３２  光ディスク
Ｒ  光ディスクの径方向
【図１】
2009026357.tif 000003
【図２】
2009026357.tif 000004
【図３】
2009026357.tif 000005
【図４】
2009026357.tif 000006
【図５】
2009026357.tif 000007
【図６】
2009026357.tif 000008
【図７】
2009026357.tif 000009
【図８】
2009026357.tif 000010
【図９】
2009026357.tif 000011
【図１０】
2009026357.tif 000012
【図１１】
2009026357.tif 000013
【図１２】
2009026357.tif 000014